(57)【要約】      （修正有）【課題】前側面パネルを開放して収容する物品を展示できる段ボール箱を形成することができる箱用シートを提供する。【解決手段】本考案の一態様に係る箱用シートは、１枚の段ボールシートから形成され、箱状に組み立てられる箱用シートであって、左右方向に連設され、四角筒状に組み立てられる前側面パネル２、左側面パネル３、後側面パネル及び右側面パネル１を備え、上記前側面パネルが、その両側縁間を接続するよう形成される一対の横切断容易線と、上記一対の横切断容易線の中央部間を接続するよう形成される縦切断容易線と、上記一対の横切断容易線間の上記縦切断容易線の左右にそれぞれ形成され、舌片１９を形成するための一対の舌片形成部とを有し、上記左側面パネル及び上記右側面パネルが、上記舌片が挿入されるスリット２９をそれぞれ有することを特徴とする。【選択図】図３
0003217221.tif 000002
【実用新案登録請求の範囲】
【請求項１】
１枚の段ボールシートから形成され、箱状に組み立てられる箱用シートであって、
左右方向に連設され、四角筒状に組み立てられる前側面パネル、左側面パネル、後側面パネル及び右側面パネルを備え、
上記前側面パネルが、
その両側縁間を接続するよう形成される一対の横切断容易線と、
上記一対の横切断容易線の中央部間を接続するよう形成される縦切断容易線と、
上記一対の横切断容易線間の上記縦切断容易線の左右にそれぞれ形成され、舌片を形成するための一対の舌片形成部と
を有し、
上記左側面パネル及び上記右側面パネルが、上記舌片が挿入されるスリットをそれぞれ有することを特徴とする箱用シート。
【請求項２】
上記舌片形成部が、上記縦切断容易線に隣接して形成される請求項１に記載の箱用シート。
【請求項３】
上記一対の舌片形成部が、上記縦切断容易線を中心に左右対称に形成され、
上記舌片形成部が、
上記縦切断容易線から左右方向に延びる直線状の基端折曲容易線と、
上記縦切断容易線から左右方向に延びる直線状の直線部及びこの直線部の先端と上記基端折曲容易線の先端とを接続する接続部を含む外縁切断線と
を有する請求項２に記載の箱用シート。
【請求項４】
上記一対の横切断容易線が上下方向外側に凸状に形成される請求項１、請求項２又は請求項３に記載の箱用シート。
【請求項５】
上記一対の横切断容易線が角のない曲線状である請求項４に記載の箱用シート。
【考案の詳細な説明】
【技術分野】
【０００１】
本考案は、箱用シートに関する。
【背景技術】
【０００２】
段ボールシートから形成され、物品を収容する箱体（段ボール箱）が広く用いられている。段ボール箱は、主に輸送時に商品（販売される物品）を保護するために利用されることが多いが、輸送用の段ボール箱の一部を開放して商品を展示するためにも使用できるようにしたものも知られている。
【０００３】
例えば実開昭６０−１５８１２号公報に前面板、上面板、後面板及び底面板を連設して四角筒状体を形成し、この四角筒状体の両側の開口を前面板、上面板、後面板及び底面板から延出するフラップで封止する包装箱において、上面板に、その前縁と後縁とを接続する一対の切込みと、この一対の切込みの中央部間を接続する切込みとを設けることによって、この３本の切込みによって上面板に画定される一対の扉片を前縁又は後縁を中心に揺動させて観音開きに開放可能とする構成が開示されている。
【０００４】
上記公報では、包装箱の上面を開放することを想定しているが、上記公報に記載の包装箱のフラップを重ね合わせて構成される２つの面が上面及び底面となるように包装箱を立てて配置すれば、包装箱の前面を開放可能とすることができる。例えば鉢植えの植物等の商品は、横にして載置することができないため、包装箱を立てて置く必要があり、その前面を開放して展示することが望まれる。
【０００５】
上記公報に記載の包装箱は、上述のように上面板に形成されるＨ字型の切込みによって画定される一対の扉片を開放することができるが、この扉片を開放状態に保持することは想定されていない。特に、包装箱を立てて前面を開放する場合には、扉片が商品を覆い隠すおそれがある。なお、扉片を完全に切除可能とすることもできるが、この場合、包装箱を再度封函することができないため、商品の展示に使用する場合、購入者が商品を使用する場所まで輸送する際に商品を保護することができなくなるという不都合が生じる。
【先行技術文献】
【特許文献】
【０００６】
【特許文献１】実開昭６０−１５８１２号公報
【考案の概要】
【考案が解決しようとする課題】
【０００７】
上記不都合に鑑みて、本考案は、前側面パネルを開放して収容する物品を展示できる段ボール箱を形成することができる箱用シートを提供することを課題とする。
【課題を解決するための手段】
【０００８】
上記課題を解決するためになされた本考案の一態様に係る箱用シートは、１枚の段ボールシートから形成され、箱状に組み立てられる箱用シートであって、左右方向に連設され、四角筒状に組み立てられる前側面パネル、左側面パネル、後側面パネル及び右側面パネルを備え、上記前側面パネルが、その両側縁間を接続するよう形成される一対の横切断容易線と、上記一対の横切断容易線の中央部間を接続するよう形成される縦切断容易線と、上記一対の横切断容易線間の上記縦切断容易線の左右にそれぞれ形成され、舌片を形成するための一対の舌片形成部とを有し、上記左側面パネル及び上記右側面パネルが、上記舌片が挿入されるスリットをそれぞれ有することを特徴とする。
【０００９】
当該箱用シートは、上記前側面パネルにその両側縁間を接続する一対の横切断容易線と、上記一対の横切断容易線の中央部間を接続する上記縦切断容易線とが形成されていることによって、上記前側面パネルの側縁を中心に回動して上記前側面パネルに開口を形成可能な一対のスイングドア部が画定されている。また、当該箱用シートは、上記一対の横切断容易線間の上記縦切断容易線の左右つまり上記一対のスイングドア部に、舌片を形成するための一対の上記舌片形成部がそれぞれ形成されており、上記左側面パネル及び上記右側面パネルに、上記舌片が挿入される上記スリットがそれぞれ形成されていることによって、上記スイングドア部を上記左側面パネル又は上記右側面パネルの外面に密着させるよう折り返した状態で、上記舌片を上記スリットに挿入することにより上記スイングドア部を保持することができる。このように、当該箱用シートを組み立ててなる箱体は、上記スイングドア部を開放することで前側面パネルに大きな開口を形成し上記スイングドア部を上記左側面パネル又は上記右側面パネルの外面に密着させた状態で保持することができ、これによって収容する物品を見やすく展示することができる。
【００１０】
当該箱用シートにおいて、上記舌片形成部が上記縦切断容易線に隣接して形成されてもよい。このように、上記舌片形成部が上記縦切断容易線に隣接して形成されることによって、上記舌片が上記スイングドア部の回動中心から遠い先端部に形成される。これにより、上記スリットが上記段ボールシートの復元力に抗して上記舌片を保持することが容易となるので、上記スイングドア部をより確実に開放状態に保持することができる。
【００１１】
当該箱用シートにおいて、上記一対の舌片形成部が、上記縦切断容易線を中心に左右対称に形成され、上記舌片形成部が、上記縦切断容易線から左右方向に延びる直線状の基端折曲容易線と、上記縦切断容易線から左右方向に延びる直線状の直線部及びこの直線部の先端と上記基端折曲容易線の先端とを接続する接続部を含む外縁切断線とを有してもよい。このように、上記一対の舌片形成部が、上記縦切断容易線を中心に左右対称に形成され、上記舌片形成部が、上記縦切断容易線から左右方向に延びる直線状の基端折曲容易線と、上記基端折曲容易線から連続する曲線状の湾曲部及びこの湾曲部の先端から連続して上記基端折曲容易線と平行に上記縦切断容易線まで直線状に延びる直線部を含む外縁切断線とを有することによって、上記一対の舌片形成部を比較的簡素なトムソン刃により一体に形成することができる。
【００１２】
当該箱用シートにおいて、上記一対の横切断容易線が上下方向外側に凸状に形成されてもよい。このように、上記一対の横切断容易線が上下方向外側に凸状に形成されることによって、前側面パネルに形成される開口の面積を大きくしつつ、前側面パネルの角部を残して箱体の強度低下を抑制することができる。
【００１３】
当該箱用シートにおいて、上記一対の横切断容易線が角のない曲線状であってもよい。このように、上記一対の横切断容易線が角のない曲線状であることによって、応力集中を抑制して箱体の強度低下をさらに抑制することができる。
【考案の効果】
【００１４】
以上のように、本考案に係る箱用シートは、前側面パネルを開放して収容する物品を展示できる段ボール箱を形成することができる。
【図面の簡単な説明】
【００１５】
【図１】本考案の一実施形態の箱用シートを示す模式的平面図（展開図）である。
【図２】図１に箱用シートを組み立ててなる箱体の模式的斜視図である。
【図３】図２の箱体の前側面パネルを開口した状態を示す模式的斜視図である。
【図４】図１に箱用シートの舌片形成部の詳細を示す模式的拡大平面図である。
【考案を実施するための形態】
【００１６】
以下、適宜図面を参照しつつ、本考案の実施の形態を詳説する。
【００１７】
図１に、本考案の一実施形態に係る箱用シートを示す。当該箱用シートは、１枚の段ボールシートから形成される。なお、図１において、太い実線は段ボールシートを切断した切断線を示し、細い実線は段ボールシートの裏面（組み立て状態で内側に配置される面）に筋押しして形成される罫線を示す。
【００１８】
当該箱用シートを形成する段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００１９】
当該箱用シートは、左右方向に連設される４つの側面パネル（右側面パネル１、前側面パネル２、左側面パネル３及び後側面パネル４）と、右側面パネル１の前側面パネル２と反対側の側縁に連接され、後側面パネル４の左側面パネル３と反対側の側縁近傍部の内面に接着されることにより、側面パネル１〜４を四角筒状に連結する継ぎしろ５と、右側面パネル１及び左側面パネル３の上縁から延出する一対の蓋外フラップ（右蓋外フラップ６及び左蓋外フラップ７）と、右側面パネル１及び左側面パネル３の下縁から延出する一対の底外フラップ（右底外フラップ８及び左底外フラップ９）と、前側面パネル２及び後側面パネル４の上縁から延出する一対の蓋内フラップ（前蓋内フラップ１０及び後蓋内フラップ１１）並びに下縁から延出する一対の底内フラップ（前底内フラップ１２及び後底内フラップ１３）とを備える。
【００２０】
なお、本明細書において、「左右方向」とは、当該箱用シートを組み立ててなる箱体の想定される一般的な使用態様における水平方向に対応する方向であり、「上」及び「下」とは、想定される一般的な使用態様における上下方向を意味しているが、当該箱用シートの製造時の向きや当該箱用シートを組み立ててなる箱体の使用時の向き制限するものではない。
【００２１】
当該箱用シートにおいて、段ボールシートは、当該箱用シートを組み立ててなる箱体の座屈強度を向上するために、中芯の稜線が上下方向に延びるよう配向されることが好ましい。
【００２２】
当該箱用シートは、後側面パネル４の内面に継ぎしろ５を接着して、右側面パネル１、前側面パネル２、左側面パネル３及び後側面パネル４を無端ループ状に接続した状態でユーザーに提供される。後側面パネル４への継ぎしろ５の接着は、例えば接着剤、ステープラー等を用いて行うことができる。
【００２３】
当該箱用シートは、図２に示すように、右側面パネル１と左側面パネル３とを対向させ、且つ前側面パネル２と後側面パネル４と対向させて四角筒状体を形成し、この四角筒状体の上端を蓋外フラップ６，７及び蓋内フラップ１０，１１で封止し、下端を底外フラップ８，９及び底内フラップ１２，１３で封止することによって、底体及び蓋体を有する箱状に組み立てられる。
【００２４】
＜前側面パネル＞
前側面パネル２は、その両側縁間を接続するよう形成される一対の横切断容易線１４，１５と、一対の横切断容易線１４，１５の中央部間を接続するよう形成される縦切断容易線１６とを有する。これにより、前側面パネル２には、その側縁と一対の横切断容易線１４，１５と縦切断容易線１６とによって、横切断容易線１４，１５及び縦切断容易線１６を破断することで分離され、図３に示すように前側面パネル２の側縁を中心に回動して前側面パネル２に開口を形成可能な一対のスイングドア部１７，１８が画定されている。
【００２５】
一対の横切断容易線１４，１５は、前側面パネル２に形成される開口の面積を大きくしつつ、前側面パネル２の角部をより多く残して当該箱用シートを組み立ててなる箱体の強度低下を抑制することができるよう、上下方向外側に凸状に形成されることが好ましい。このような凸状の横切断容易線１４，１５は、応力集中を低減して箱体の強度低下をさらに抑制するために、例えば円弧状、楕円弧状等、角のない曲線状に形成されることがより好ましい。
【００２６】
前側面パネル２は、一対の横切断容易線１４，１５間の縦切断容易線１６の左右、つまり一対のスイングドア部１７，１８にそれぞれ形成され、段ボールシートの一部を分離してスイングドア部１７，１８の他の部分に対して折り曲げ可能な小さい舌片１９，２０を形成する一対の舌片形成部２１，２２をさらに有する。
【００２７】
舌片形成部２１，２２は、縦切断容易線１６から離して形成されてもよいが、本実施形態のように、縦切断容易線１６に隣接して形成され、舌片１９，２０の外縁の一部分を縦切断容易線１６によって画定することが好ましい。舌片形成部２１，２２を縦切断容易線１６に隣接して形成することによって、舌片１９，２０を回動させることで形成される開口に手を入れて、縦切断容易線１６及び横切断容易線１４，１５を破断してスイングドア部１７，１８を開閉可能とする際に手をかけて破断の起点とすることもできる。また、一対の舌片形成部２１，２２を一体に形成することができるよう、一対の舌片形成部２１，２２が縦切断容易線１６を中心に左右対称に形成されることがより好ましい。
【００２８】
本実施形態における舌片形成部２１，２２は、図４に示すように、縦切断容易線１６から左右方向に延びる直線状の基端折曲容易線２３と、この基端折曲容易線２３の先端と縦切断容易線１６とを結ぶ外縁切断線２４とを有する。外縁切断線２４は、縦切断容易線１６から基端折曲容易線２３と平行に左右方向に延びる直線状の直線部２５及びこの直線部２５の先端と基端折曲容易線２３の先端とを接続する接続部２６を含む。このような構成とすることによって、一対の舌片形成部２１，２２を比較的簡素なトムソン刃により一体に形成することができる。
【００２９】
また、本実施形態の前側面パネル２は、縦切断容易線１６に跨がって形成される２つの開口２７，２８をさらに有する。この開口２７，２８は、当該箱用シートを組み立ててなる箱体に花卉等を収容した際に通気穴として機能する。また、この開口２７，２８を、縦切断容易線１６に跨がって形成したことにより、縦切断容易線１６及び横切断容易線１４，１５を破断してスイングドア部１７，１８を開閉可能とする際に手をかけて破断の起点とすることができる。
【００３０】
＜側面パネル＞
右側面パネル１及び左側面パネル３は、図３に示すように、スイングドア部１７，１８を右側面パネル１及び左側面パネル３の外面側に密着させるよう折り返すことによって、舌片１９，２０を挿入可能なスリット２９，３０が形成されている。
【００３１】
本実施形態のスリット２９，３０は、直線状のスリット折曲容易線３１と、このスリット折曲容易線３１に連続して形成される扁平Ｃ字状のスリット切断線３２とによって画定されている。つまり、本実施形態のスリット２９，３０は、スリット折曲容易線３１とスリット切断線３２とによって画定されるフラップ状の蓋体で封止される。この蓋体は、スリット２９，３０に挿入される舌片１９，２０に圧接し、摩擦を増大させることによって舌片１９，２０がスリット２９，３０から抜け出ることを抑制する。これにより、スリット２９，３０は、段ボールシートの復元力に抗して舌片１９，２０を保持してスイングドア部１７，１８を開放状態に保持する。また、スリット切断線３２が扁平Ｃ字状であることによって、スリット２９，３０の中央部の幅が僅かに大きくなっており、蓋体を押し込んでスリット２９，３０を開口させやすくなっている。
【００３２】
このとき、当該箱用シートでは、舌片形成部２１，２２が縦切断容易線１６に隣接して形成されることによって、舌片１９，２０がスイングドア部１７，１８の回動中心（前側面パネル２の側縁）から遠いスイングドア部１７，１８の先端部に形成される。これにより、より小さい摩擦力によって段ボールシートの復元力に抗してスリット２９，３０が舌片１９，２０を保持することが可能となるので、スイングドア部１７，１８をより確実に開放状態に保持することができる。
【００３３】
スリット２９，３０は、舌片１９，２０を挿入したときにスイングドア部１７，１８に僅かな歪みを生じさせて舌片１９，２０をスリット２９，３０に押し当てることでスリット２９，３０から舌片１９，２０が脱離しにくくなるよう、舌片１９，２０に対応する位置から僅かにずらして形成されてもよい。
【００３４】
また、本実施形態の右側面パネル１及び左側面パネル３には、当該箱用シートを組み立ててなる箱体を持ち上げる際に手を差し込む手掛け穴を形成する手掛け穴形成部３３，３４が形成されている。
【００３５】
＜フラップ＞
蓋外フラップ６，７、底外フラップ８，９、蓋内フラップ１０，１１及び底内フラップ１２，１３の構成は、側面パネル１〜４によって形成される四角筒状体の端部の開口を封止できるものであればよく、例えばＪＩＳ−Ｚ１５０７（２０１３）に規定される任意の形式の段ボール箱における蓋部の構成等を採用してもよい。
【００３６】
本実施形態では、四角筒状体の上端は、一対の蓋内フラップ１０，１１を内側に折り曲げて互いの先端同士を対向させ、蓋内フラップ１０，１１の外面に一対の蓋外フラップ６，７を折り重ねて蓋外フラップ６，７の先端同士を係合させることで封止されるよう構成されている。同様に、四角筒状体の下端は、一対の底内フラップ１２，１３を内側に折り曲げて互いの先端同士を対向させ、底内フラップ１２，１３の外面に一対の底外フラップ８，９を折り重ねて底外フラップ８，９の先端同士を係合させることで封止されるよう構成されている。
【００３７】
右蓋外フラップ６及び右底外フラップ８は、その先端の左右両側に、対向する左蓋外フラップ７及び左底外フラップ９の先端部の内面側に挿入できるよう突出する一対の側方挿入片３５を有する。一方、左蓋外フラップ７及び左底外フラップ９は、その先端の中央に、対向する左蓋外フラップ６及び右底外フラップ８の側方挿入片３５間の先端部の内面側に挿入できるよう突出する中央挿入片３６を有する。
【００３８】
この構成により、右蓋外フラップ６の先端部の外面側に左蓋外フラップ７の先端を重ねた状態で左蓋外フラップ７の先端部を四角筒状体の内側に向かって押圧することによって右蓋外フラップ６及び左蓋外フラップ７の先端部に隙間を形成し、中央挿入片３６を右蓋外フラップ６の側方挿入片３５の間の先端部の内面側に挿入することで、右蓋外フラップ６と左蓋外フラップ７とを係合させて四角筒状体の上部の開口を封止することができる。同様に、四角筒状体の下部の開口も、右底外フラップ８の先端部の外面側に左底外フラップ９の先端を重ねた状態で左底外フラップ９の先端部を四角筒状体の内側に向かって押圧することによって、右底外フラップ８と左底外フラップ９とを係合させて封止することができる。
【００３９】
また、蓋外フラップ６，７、底外フラップ８，９、蓋内フラップ１０，１１及び底内フラップ１２，１３は、基端縁（側面パネル１〜４との境界）の両端部から先端縁まで僅かに内側に傾斜して延びるよう形成される一対のフラップ折曲容易線３７をそれぞれ有する。このフラップ折曲容易線３７は、側面パネル１〜４によって形成される四角筒状体の上下端を封止する際に、蓋外フラップ６，７及び底外フラップ８，９の両側部が内側に重ねられている蓋内フラップ１０，１１及び底内フラップ１２，１３に沿って一時的に折れ曲がることを容易にし、蓋外フラップ６，７間の係合及び底外フラップ８，９間の係合を促進する。
【００４０】
当該箱用シートでは、前蓋内フラップ１０の延出長さが後蓋内フラップ１１の延出長さよりも小さく、後蓋内フラップ１１の先端縁が右蓋外フラップ６の先端縁（側方挿入片３５の先端縁）及び左蓋外フラップ７の先端縁（中央挿入片３６の先端縁）と同一直線上に配置されている。同様に、後底内フラップ１３の先端縁と、右底外フラップ８の先端縁（側方挿入片３５の先端縁）と、左底外フラップ９の先端縁（中央挿入片３６の先端縁）とは同一直線上に配置されている。特に、展開状体で左右方向両端に位置するフラップ（右蓋外フラップ６及び後蓋内フラップ１１と、右底外フラップ８及び後底内フラップ１３）の先端縁が同一直線状に存在することによって、当該箱用シートは、一般的なグルアーによって、右側面パネル１及び前側面パネル２間並びに左側面パネル３及び後側面パネル４間で正確に折り返し、継ぎしろ５を後側面パネル４の正しい位置に接着して歪みのない四角筒状体を形成することができる。
【００４１】
＜利点＞
当該箱用シートは、スイングドア部１７，１８に、舌片１９，２０を形成する一対の舌片形成部２１，２２がそれぞれ設けられ、右側面パネル１及び左側面パネル３に、舌片１９，２０が挿入されるスリット２９，３０がそれぞれ形成されていることによって、右のスイングドア部１７の舌片１９を右側面パネル１のスリット２９に挿入することで右のスイングドア部１７を右側面パネル１の外面に密着するよう折り返した状態で保持することができ、左のスイングドア部１８の舌片２０を左側面パネル３のスリット３０に挿入することで左のスイングドア部１８を左側面パネル３の外面に密着するよう折り返した状態で保持することができる。これにより、当該箱用シートを組み立ててなる箱体は、一対のスイングドア部１７，１８を開放し前側面パネル２に大きな開口を形成し、箱体の内部に収容する物品をスイングドア部１７，１８によって隠すことなく見やすく展示することができる。
【００４２】
また、当該箱用シートを組み立ててなる箱体は、スイングドア部１７，１８を開放して収容する物品を展示した後に、舌片１９，２０をスリット２９，３０から引き抜いてスイングドア部１７，１８を閉鎖し、スイングドア部１７，１８間の合わせ目に粘着テープを貼着することにより再度封函することができる。このため、当該箱用シートを組み立ててなる箱体は、収容する物品を展示した後に、再度封函して安全に物品を輸送することができる。
【００４３】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４４】
本考案に係る箱用シートにおいて、前側面パネル、左側面パネル、後側面パネル及び右側面パネルの順番は、四角筒状に組み立てたときに上述の実施形態と同様の位置関係となる順番であればよい。
【００４５】
本考案に係る箱用シートにおいて、前側面パネルの開口、右側面パネル及び左側面パネルの手掛け穴形成部は、任意の構成であり、省略又は追加してもよい。
【００４６】
本考案に係る箱用シートにおいて、右側面パネル及び左側面パネルのスリットは、全周が切断線によって画定され、常時開口するものであってもよい。
【産業上の利用可能性】
【００４７】
当該箱用シートは、商品の輸送用兼展示用の段ボール箱を形成するために好適に利用することができる。
【符号の説明】
【００４８】
１  右側面パネル
２  前側面パネル
３  左側面パネル
４  後側面パネル
５  継ぎしろ
６  右蓋外フラップ
７  左蓋外フラップ
８  右底外フラップ
９  左底外フラップ
１０  前蓋内フラップ
１１  後蓋内フラップ
１２  前底内フラップ
１３  後底内フラップ
１４，１５  横切断容易線
１６  縦切断容易線
１７，１８  スイングドア部
１９，２０  舌片
２１，２２  舌片形成部
２３  基端折曲容易線
２４  外縁切断線
２５  直線部
２６  接続部
２７，２８  開口
２９，３０  スリット
３１  スリット折曲容易線
３２  スリット切断線
３３，３４  手掛け穴形成部
３５  側方挿入片
３６  中央挿入片
３７  フラップ折曲容易線
【図１】
0003217221.tif 000003
【図２】
0003217221.tif 000004
【図３】
0003217221.tif 000005
【図４】
0003217221.tif 000006